【事件の表示】
　平成　７年特許願第２０４３１４号「易開封性カートン」拒絶査定不服審判事件〔平成　９年　２月１８日出願公開、特開平　９−　４８４２７〕について、次のとおり審決する。
【結　論】
　本件審判の請求は、成り立たない。
【理　由】
１　手続の経緯
　本願は、平成７年８月１０日の出願であって、平成１６年９月２８日付けで拒絶査定がなされ、これに対して、平成１６年１１月４日に拒絶査定に対する審判請求がなされるとともに、平成１６年１２月３日付けで明細書について手続補正がなされたものである。
　
２　平成１６年１２月３日付けの手続補正についての補正却下の決定
［補正却下の決定の結論］
　平成１６年１２月３日付け手続補正を却下する。
［理由］
２−１　補正事項
　本件補正は、平成１６年３月５日付けで補正された明細書の特許請求の範囲の請求項１に記載の、
「４角形の底板周辺から立ち上げた側壁パネルの中の前面側壁パネルの上半部に下部が閉じ、上部が開放するような切れ目線で区画された開口片を設け、前記前面側壁パネルと対向するように立ち上げた後面側壁パネルの上辺から天板、前面カバー及び摘み片の順にそれぞれ折線を介して延設して、前側に倒し、前面カバーと摘み片で前記前面側壁パネルを覆い、前記開口片と前記前面カバーを所定の位置に設けた接着部で接着してなり、前記摘み片を引き上げることにより、前記開口片が前記前面カバーの裏面に貼着して前面パネルから切り離されて天部と前面パネルを大きく開口するカバン型カートンにおいて、
前記摘み片が開口片で大きく開口した前面側壁パネルの開口部の内側に幅広に挿入してリクローズできる大きさに形成され、かつその摘み片の根元の折線が前記接着部の最下端と前記切れ目線の下部の繋ぎ目の間に位置することにより、
　前記接着部が引っ張り力に対しては剪断力より強い抵抗を示すことを利用して、前記摘み片を持ち上げると剥離力の力点は前記摘み片の根元の折線の位置に移り、かつ、引っ張り力により前記接着部の最下端も上に持ち上がるが、この間前記接着部での層間剥離を起こさず、前記切れ目線の下部の繋ぎ目を確実に破壊して、この破壊が、前記切れ目線全体に及んで前記開口片が確実に前記前面カバーに貼着した状態で前記前面側壁パネルが開口できることを特徴とする易開封性カートン。」を、
「４角形の底板周辺から立ち上げた側壁パネルの中の前面側壁パネルの上半部に下部が閉じ、上部が開放するような切れ目線で区画された開口片を設け、前記前面側壁パネルと対向するように立ち上げた後面側壁パネルの上辺から天板、前面カバー及び摘み片の順にそれぞれ折線を介して延設して、前側に倒し、前面カバーと摘み片で前記前面側壁パネルを覆い、前記開口片と前記前面カバーを所定の位置に設けた接着部で接着してなり、前記摘み片を引き上げることにより、前記開口片が前記前面カバーの裏面に貼着して前面パネルから切り離されて天部と前面パネルを大きく開口するカバン型カートンにおいて、
　前記摘み片が開口片で大きく開口した前面側壁パネルの開口部の内側に幅広に挿入してリクローズできる大きさに形成され、
前記切れ目線で区画された開口片に設けられた繋ぎ目の部分で切れ目線を内側に屈曲させ、前記開口片と前記前面カバーとの前記接着部は開口片の下部に設けると共に、前記接着部の最下端は前記切れ目線の下部の繋ぎ目の上方に設け、
　
２−２　補正の目的・新規事項の有無
　上記補正は、補正前の請求項１に記載された「切れ目線」の形状及び「接着部」の位置を、願書に最初に添付された明細書又は図面に記載された「
前記切れ目線で区画された開口片に設けられた繋ぎ目の部分で切れ目線を内側に屈曲させ、前記開口片と前記前面カバーとの前記接着部は開口片の下部に設けると共に、前記接着部の最下端は前記切れ目線の下部の繋ぎ目の上方に設け、
　よって、本件補正の目的は、特許法第１７条の２第４項第２号に規定する目的に合致する。
　
２−３　独立特許要件　
　そこで、上記の特許請求の範囲の減縮を目的とした補正を含む補正後の本願発明が、特許出願の際独立して特許を受けることができるものであるか（特許法第１７条の２第５項において準用する同法第１２６条第５項の規定に適合するか）について以下に検討する。
２−３−１　補正後の本願発明
　補正後の本願請求項１に係る発明（以下、「本願補正発明」という。）は、平成１６年１２月３日付け手続補正書により補正された明細書の記載からみて、その特許請求の範囲の請求項１に記載された、以下のとおりのものである。
　「４角形の底板周辺から立ち上げた側壁パネルの中の前面側壁パネルの上半部に下部が閉じ、上部が開放するような切れ目線で区画された開口片を設け、前記前面側壁パネルと対向するように立ち上げた後面側壁パネルの上辺から天板、前面カバー及び摘み片の順にそれぞれ折線を介して延設して、前側に倒し、前面カバーと摘み片で前記前面側壁パネルを覆い、前記開口片と前記前面カバーを所定の位置に設けた接着部で接着してなり、前記摘み片を引き上げることにより、前記開口片が前記前面カバーの裏面に貼着して前面パネルから切り離されて天部と前面パネルを大きく開口するカバン型カートンにおいて、
　前記摘み片が開口片で大きく開口した前面側壁パネルの開口部の内側に幅広に挿入してリクローズできる大きさに形成され、前記切れ目線で区画された開口片に設けられた繋ぎ目の部分で切れ目線を内側に屈曲させ、前記開口片と前記前面カバーとの前記接着部は開口片の下部に設けると共に、前記接着部の最下端は前記切れ目線の下部の繋ぎ目の上方に設け、かつその摘み片の根元の折線が前記接着部の最下端と前記切れ目線の下部の繋ぎ目の間に位置することにより、前記接着部が引っ張り力に対しては剪断力より強い抵抗を示すことを利用して、前記摘み片を持ち上げると剥離力の力点は前記摘み片の根元の折線の位置に移り、かつ、引っ張り力により前記接着部の最下端も上に持ち上がるが、この間前記接着部での層間剥離を起こさず、前記切れ目線の下部の繋ぎ目を確実に破壊して、この破壊が、前記切れ目線全体に及んで前記開口片が確実に前記前面カバーに貼着した状態で前記前面側壁パネルが開口できることを特徴とする易開封性カートン。」
　
２−３−２　引用例
　これに対して、原査定の拒絶の理由に引用された、本願出願前に日本国内において頒布された刊行物である実願平４−７０３４６号（実開平６−２２２２１号）のＣＤ−ＲＯＭ（以下、「引用例」という。）には、図面とともに次の記載がある。
（ア）「【請求項】　正面板１の中央部上方にミシン目線等の破断線２で囲んだ切離部３を設け、背面板４上端に連設した蓋板５の先端に設けたフラップ６を正面板１の中央部上方に折重ね、該切離部３とフラップ６を貼着し、開封に当たっては、フラップ６先端の摘まみ７を上方に引っ張り、破断線２を開裂して開封し、リクローズする際には、開裂した切離部３下端の正面板１に成形した幅狭の差し込み部８に該摘まみ７を差し込んでリクローズする前面開封容器において、摘まみ基部両側にその基端および先端部より僅かに膨らんだ膨大部７ａ，７ａを設けて成る前面開封容器のリクローズ装置。」（【実用新案登録請求の範囲】）
（イ）「１は前面を開封し、蓋板から正面板上方に亘って開蓋する公知の前面開封容器Ａの正面板で、その中央部上方にミシン目線の破断線２を設けて切離部３を区画したもので、左右に折目１ａ，１ａを介して左右側板９，１０を連設する。」（段落番号【００１１】）
（ウ）「４は背面板で、正面板１下端に底板１１を介在して連設し、上端に折目４ａを介して蓋板５を連設したものである。」（段落番号【００１２】）
（エ）「６はフラップで、蓋板５の先端に折目５ａを介して連設したもので、正面板１上方に折曲し、切離部３上に重ね合せるものである。」（段落番号【００１３】）
（オ）「７はフラップ６先端中央部に折目６ａを介して連設した摘まみで、該摘まみ７を上方に引っ張ることにより、正面板１上方の破断線２で区画した切離部３に貼着したフラップ６を、破断線２で切離部３を切離して開封する。」（段落番号【００１４】）
（カ）「８は切離部３下端に破断線２で成形した幅狭の差し込み部で、切離部３を切離
した際に該摘まみ７を挿嵌し得る幅に設ける。」（段落番号【００１５】）
（キ）「これを組立てるに当たっては、…フラップ６を正面板１の切離部３に貼着して図１のように完成する。」（段落番号【００１８】）
（ク）「これを開封するに当たっては、図１の摘まみ７を上方に持ち上げ、フラップ６に貼着した切離部３を破断線２で切離して開封し、フラップ６、蓋板５を図２のように開蓋する。」（段落番号【００１９】）
（ケ）「次にリクローズするに当たっては、蓋板５とフラップ６で前面開放部を閉塞し、摘まみ７を正面板１の差し込み部８に嵌入し、図３に示すようにリクローズする。」（段落番号【００２０】）
　以上（ア）〜（ケ）の記載を総合すると、上記引用例には、
　「底板周辺から立ち上げた正面板、背面板、左側板、右側板の中の正面板の中央部上方に破断線で囲んだ切離部を設け、背面板の上辺から蓋板、フラップ及び摘みの順にそれぞれ折目を介して延設して、蓋板の先端に設けたフラップを正面板の中央部上方に折重ね、切離部とフラップを貼着してなり、摘まみを上方に持ち上げ、フラップに貼着した切離部を破断線で切離して開封し、フラップ、蓋板を開蓋する前面開封容器において、開封した切離部下端の正面板に成形した差し込み部に摘まみを差し込んでリクローズする前面開封容器。」の発明が記載されているものと認める。
　
２−３−３　対比
　本願補正発明と引用例に記載の発明を対比する。
　後者の「底板」が４角形であることは明らかであり、また、後者の「正面板、背面板、左側板、右側板」及び「正面板」は、前者の「側壁パネル」及び「前面側壁パネル」に相当する。また、後者の「切離部」は、正面板の上半部に下部が閉じ、上部が開放する破断線で区画されているといえるので、後者の「切離部」及び「破断線」は、前者の「開口片」及び「切れ目線」に相当する。
　そして、後者の「背面板」が正面板と対向するように立ち上がっていることは明らかであるので、後者の「背面板」は前者の「後面側壁パネル」に相当し、また、後者の「蓋板」、「フラップ」、「摘み」及び「折目」は、前者の「天板」、「前面カバー」、「摘み片」及び「折線」に相当し、さらに、後者の「蓋板の先端に設けたフラップを正面板の中央部上方に折重ね」とは、フラップと摘みを前側に倒し、正面板を覆っていることに他ならない。
　したがって、後者の「背面板の上辺から蓋板、フラップ及び摘みの順にそれぞれ折目を介して延設して、蓋板の先端に設けたフラップを正面板の中央部上方に折重ね」は、前者の「前記前面側壁パネルと対向するように立ち上げた後面側壁パネルの上辺から天板、前面カバー及び摘み片の順にそれぞれ折線を介して延設して、前側に倒し、前面カバーと摘み片で前記前面側壁パネルを覆い」に相当する。
　また、後者の「開封した切離部下端の正面板に成形した差し込み部に摘まみを差し込んでリクローズする」とは、摘みが切離部で開口した正面板の開口部の内側に挿入してリクローズできる大きさに形成されていることに他ならず、さらに後者の「前面開封容器」は、カバン型カートンであって、易開封性カートンであるといえる。
　してみると、両者は、本願補正発明の表記にならえば、
　「４角形の底板周辺から立ち上げた側壁パネルの中の前面側壁パネルの上半部に下部が閉じ、上部が開放するような切れ目線で区画された開口片を設け、前記前面側壁パネルと対向するように立ち上げた後面側壁パネルの上辺から天板、前面カバー及び摘み片の順にそれぞれ折線を介して延設して、前側に倒し、前面カバーと摘み片で前記前面側壁パネルを覆い、前記開口片と前記前面カバーを所定の位置に設けた接着部で接着してなり、前記摘み片を引き上げることにより、前記開口片が前記前面カバーの裏面に貼着して前面パネルから切り離されて天部と前面パネルを大きく開口するカバン型カートンにおいて、
　前記摘み片が開口片で大きく開口した前面側壁パネルの開口部の内側に幅広に挿入してリクローズできる大きさに形成され、摘み片の根本に折線が設けられ、摘み片を上方に持ち上げて、前面カバーに貼着した開口片を切れ目線で切離して開封し、前面カバー及び天板を開蓋するようにした易開封性カートン。」である点で一致し、次の点で相違している。
〈相違点１〉
　本願補正発明では、「前記切れ目線で区画された開口片に設けられた繋ぎ目の部分で切れ目線を内側に屈曲させ」ているのに対し、引用例に記載された発明では、切離部に設けられた繋ぎ目の部分で破断線を内側に屈曲させていない点。
〈相違点２〉
　本願補正発明では、「前記開口片と前記前面カバーとの前記接着部は開口片の下部に設けると共に、前記接着部の最下端は前記切れ目線の下部の繋ぎ目の上方に設け、かつその摘み片の根元の折線が前記接着部の最下端と前記切れ目線の下部の繋ぎ目の間に位置することにより、前記接着部が引っ張り力に対しては剪断力より強い抵抗を示すことを利用して、前記摘み片を持ち上げると剥離力の力点は前記摘み片の根元の折線の位置に移り、かつ、引っ張り力により前記接着部の最下端も上に持ち上がるが、この間前記接着部での層間剥離を起こさず、前記切れ目線の下部の繋ぎ目を確実に破壊して、この破壊が、前記切れ目線全体に及んで前記開口片が確実に前記前面カバーに貼着した状態で前記前面側壁パネルが開口できる」としているのに対し、引用例に記載された発明では、切離部と正面板との接着部が切離部の下部に設けるとの明記はなく、しかも、摘みの根本に折目は設けられているものの、その折目が接着部の最下端と破断線の下部の繋ぎ目の間に位置するとの明記はなく、本願補正発明に記載のような作用の明記がない点。
　
２−３−４　相違点の判断
〈相違点１〉に対して
　繋ぎ目の部分で切れ目線を内側に屈曲させることは、この種の破断線においては周知技術（一例として、実願昭５３−１６７６１号（実開昭５４−１２３２２９号）のマイクロフィルム、実願平１−１０８３８０号（実願平３−４９９３０号）のマイクロフィルム参照）である。
　したがって、引用例に記載された発明において、前記周知技術を適用して、上記相違点１に係る事項とすることは、当業者が容易に想到し得るものと認める。
〈相違点２〉に対して
　引用例には、図２及び図３により、折目６ａが破断線２とほぼ重なった位置に形成されていることが開示されているものと認められる。
　してみれば、本願補正発明と引用例に記載のものの構成上の相違は、折線（折目）が切れ目線（破断線）の下部の繋ぎ目に対して接着部側に位置するか否かの違い、すなわち、本願補正発明では、前記接着部の最下端は前記切れ目線の下部の繋ぎ目の上方に設け、かつその摘み片の根元の折線が前記接着部の最下端と前記切れ目線の下部の繋ぎ目の間に位置するのに対し、引用例に記載のものでは、接着部の最下端近傍で、折目（折線）が破断線（切れ目線）の下部の繋ぎ目とほぼ重なった位置に形成されている点で一応の相違が認められる。
　しかしながら、引用例に記載されたものにおいても、折目６ａがある以上、摘み７を持ち上げる際には折り目６ａで摘み７を折り曲げることは、当業者であれば容易に想到し得ることなので、摘み７を持ち上げると剥離力の力点が折り目６ａに移り、フラップ６の折り目６ａの部分が上に持ち上がろうとすることは明らかである。
　また、引用例の段落番号【００１７】によれば、切離部３に設けられたミシン目１２は、接着の際に補強効果を与えるものと記載されているので、このミシン目の箇所が接着部となることは明らかであり、しかも、接着部は折目６ａを越えて摘み７側に設けられないことも明らかであるので、引用例に記載された接着部の最下端は、摘み７を持ち上げた際に剥離力の力点が移動する折り目６ａのフラップ側近傍に位置しているといえる。
　したがって、引用例に記載されたものは、折目６ａを有しないものと比べて、接着部の最下端位置では剪断力より上方への引っ張り力の方が大きく働くことも明らかである。
　以上により、引用例に記載されたものにおいても、程度の差こそあれ、上記相違点２に記載の本願補正発明と同様な作用を奏することは明らかである。さらに、引用例記載のものにおいて、折目６ａを破断線２と接着部の最下端の間に位置せしめ得ないとする特段の事情も見受けられず、接着部を開口片の下部に設けることも格別なものとは認められない。
　よって、上記相違点２に係る事項は、当業者が容易に想到し得るものと認める。
　そして、本願補正発明の効果も、引用例に記載された発明、及び前記周知技術から、当業者であれば予測できる程度のものであって格別なものとはいえない。
　よって、本願補正発明は、引用例に記載された発明、及び前記周知技術に基づいて、当業者が容易に発明をすることができたものと認められるから、特許法第２９条第２項の規定により特許出願の際独立して特許を受けることができないものある。
　
２−３−５　むすび
　以上により、本件補正は、特許法第１７条の２第５項において準用する同法第１２６条第５項の規定に違反するものであるから、同法第１５９条第１項の規定において読み替えて準用する同法第５３条第１項の規定により却下すべきものである。
　
３　本願発明について
３−１　本願発明
　平成１６年１２月３日付け手続補正書は上記のとおり却下されたので、本願の請求項１及び２に係る発明は、平成１６年３月５日付け手続補正書で補正された明細書の特許請求の範囲の請求項１及び２に記載された事項により特定されるとおりのものと認められるところ、請求項１に係る発明（以下、「本願発明」という。）は、次のとおりのものである。
「４角形の底板周辺から立ち上げた側壁パネルの中の前面側壁パネルの上半部に下部が閉じ、上部が開放するような切れ目線で区画された開口片を設け、前記前面側壁パネルと対向するように立ち上げた後面側壁パネルの上辺から天板、前面カバー及び摘み片の順にそれぞれ折線を介して延設して、前側に倒し、前面カバーと摘み片で前記前面側壁パネルを覆い、前記開口片と前記前面カバーを所定の位置に設けた接着部で接着してなり、前記摘み片を引き上げることにより、前記開口片が前記前面カバーの裏面に貼着して前面パネルから切り離されて天部と前面パネルを大きく開口するカバン型カートンにおいて、
　前記摘み片が開口片で大きく開口した前面側壁パネルの開口部の内側に幅広に挿入してリクローズできる大きさに形成され、前記切れ目線で区画された開口片に設けられた繋ぎ目の部分で切れ目線を内側に屈曲させ、前記開口片と前記前面カバーとの前記接着部は開口片の下部に設けると共に、前記接着部の最下端は前記切れ目線の下部の繋ぎ目の上方に設け、かつその摘み片の根元の折線が前記接着部の最下端と前記切れ目線の下部の繋ぎ目の間に位置することにより、前記接着部が引っ張り力に対しては剪断力より強い抵抗を示すことを利用して、前記摘み片を持ち上げると剥離力の力点は前記摘み片の根元の折線の位置に移り、かつ、引っ張り力により前記接着部の最下端も上に持ち上がるが、この間前記接着部での層間剥離を起こさず、前記切れ目線の下部の繋ぎ目を確実に破壊して、この破壊が、前記切れ目線全体に及んで前記開口片が確実に前記前面カバーに貼着した状態で前記前面側壁パネルが開口できることを特徴とする易開封性カートン。」
　
３−２　引用例
　原査定の拒絶の理由に引用された引用例及びその記載事項は、前記［２−３−２　引用例］に記載したとおりである。
　
３−３　対比・相違点の判断
　前記［２−３−１］で検討した本願補正発明は、本願発明の全構成をその構成として備えるものである。
　そうすると、本願発明の構成要件を全て含み、さらに他の構成要件を付加した本願補正発明が、前記「２−３−４」に記載したとおり、引用例に記載された発明、及び前記周知技術に基づいて、当業者が容易に発明をすることができたものであるから、本願発明も、同様の理由により、引用例に記載された発明、及び前記周知技術に基づいて、当業者が容易に発明をすることができたものである。
　
４　むすび
　以上により、本願発明は、引用例に記載された発明、及び前記周知技術に基づいて、当業者が容易に発明をすることができたものであるから、特許法第２９条第２項の規定により特許を受けることができない。
　それゆえ、本願出願は、特許請求の範囲の請求項２に係る発明について検討するまでもなく、拒絶すべきものである。
　よって、結論のとおり審決する。